(57)【要約】【課題】ナット締付操作量に応じて所定の引張力をスクリーンに正確に作用させることができるとともに、使用に伴いスクリーンが横方向に若干伸びたとしてもその伸び分を吸収して引張力を作用させた状態を維持することができるスクリーン引張装置を提供する。【解決手段】縦横に広がるスクリーン本体２の横方向端部に一端側が連結されるボルト２２と、このボルト２２の他端側に螺合されるナット２４とを備え、ナット２４を締め付けることによってスクリーン本体２を横方向外側に引っ張るようにしたスクリーン引張装置２０Ａにおいて、ナット２４の締付時にボルト２２に対しナット２４が相対移動する側に、ナット２４からの締付荷重を受けるとともにスクリーン本体２の横方向外側に付勢力を発するナット受け部材２３ｃを配設する。【選択図】図５
2018155947.tif 000002
【特許請求の範囲】
【請求項１】
縦横に広がるスクリーンの横方向端部に一端側が連結されるボルトと、このボルトの他端側に螺合されるナットとを備え、前記ナットを締め付けることによって前記スクリーンを横方向外側に引っ張るようにしたスクリーン引張装置において、
前記ナットの締付時に前記ボルトに対し前記ナットが相対移動する側に、前記ナットからの締付荷重を受けるとともに前記スクリーンの横方向外側に付勢力を発するナット受け部材を配設したことを特徴とするスクリーン引張装置。
【請求項２】
前記ナット受け部材は、前記ナットからの締付荷重を受けることによって弾性変形した状態で前記スクリーンの横方向内側に傾きが付される板状の弾性体からなるものである請求項１に記載のスクリーン引張装置。
【請求項３】
前記ナット受け部材は、前記ナットからの締付荷重を受けていない弾性変形前の自然状態で前記スクリーンの横方向外側に傾きが付される板状の弾性体からなるものである請求項１に記載のスクリーン引張装置。
【請求項４】
前記ナット受け部材は、板状の弾性体の撓みに対する反発力を利用した板ばね部材によって前記スクリーンの横方向外側に付勢されることで前記スクリーンの横方向外側に付勢力を発するようにされている請求項１に記載のスクリーン引張装置。
【請求項５】
前記ナット受け部材は、前記ボルトの他端側に外嵌される圧縮コイルばねによって前記スクリーンの横方向外側に付勢されることで前記スクリーンの横方向外側に付勢力を発するようにされている請求項１に記載のスクリーン引張装置。
【発明の詳細な説明】
【技術分野】
【０００１】
本発明は、例えば、映写用、プロジェクタ用、リア投影用等に用いられるスクリーンや、窓辺の装飾用、間仕切り用等に用いられるスクリーン（「カーテン」とも称される。）の平面性を得るために、スクリーンの横方向に引っ張り力を作用させるスクリーン引張装置に関するものである。
【背景技術】
【０００２】
この種の従来のスクリーン引張装置として、図１３（ａ）に示されるようなものがある。（特許文献１参照）。この図１３（ａ）に示されるスクリーン引張装置１０１は、管状の横棒１０２に上部が保持されるスクリーン１０３を横方向に引っ張る装置であって、スクリーン１０３の上部の横方向端部に取り付けられた引っ張り片１０４にジョイント１０５を介して一端側が連結されるボルト１０６を備えている。ボルト１０６は、その他端側を横棒１０２の端面から突出させた状態でその大部分が横棒１０２の内部に組み込まれている。ボルト１０６の他端側にはナット１０７が螺合され、横棒１０２の端面とナット１０７との間には、ナット止め具１０８が介設され、ナット１０７を締め付けることにより、スクリーン１０３を横方向外側に引っ張ることができるようになっている。
【０００３】
このスクリーン引張装置１０１は、ナット１０７が例えば１ｍｍ進むようなナット締付操作量によって例えば３ｋｇ程度の引張力をスクリーン１０３に正確に作用させることができ、これによってスクリーン１０３の平面性を得ることができる。
【０００４】
しかしながら、従来のスクリーン引張装置１０１では、使用の初期段階においてナット締付操作量が１ｍｍ程度の僅かな距離で所定の引張力をスクリーン１０３に掛けてその平面性を得るようにしているため、例えば温度・湿度変化の長期の繰り返しに起因してスクリーン１０３が横方向に若干でも伸びた場合、所期の引張力が働かなくなり、スクリーン１０３の平面性が損なわれるという問題点がある。なお、長期の使用に伴うスクリーン１０３の伸びを予め想定し、ナット１０７が２ｍｍ進むようなナット締付操作量によって強い引張力を使用の初期段階で作用させたり、例えば４ｋｇといった強い引張力を使用の初期段階で作用させたりすることも考えられるが、上記のような環境変化に起因するスクリーン１０３の伸びの補正にはさほど強い引張力が必要でないにもかかわらず、過剰な引張力を作用させることになるので、使用の初期段階でスクリーン１０３に皺が発生してしまうことになり、合理的ではない。
【０００５】
一方、環境変化等に起因してスクリーンが伸びた場合でもそのスクリーンの平面性を得る手段として、図１３（ｂ）に示されるように、コイルバネ１１０を用いてスクリーン本体１１１の四辺を外方に付勢した状態でスクリーン本体１１１をベース枠１１２に取り付けるようにしたものが提案されている（特許文献２参照）。また、図１３（ｃ）に示されるように、スクリーン１２０の両側にそれぞれローラ１２１を巻き付け、各ローラ１２１に、ローラ１２１がスクリーン１２０を引っ張る方向に付勢するバネ１２２を連結するようにしたものが提案されている（特許文献３参照）。
【先行技術文献】
【特許文献】
【０００６】
【特許文献１】特許第６０５６０７０号公報
【特許文献２】特開平９−３４０１４号公報
【特許文献３】実開平５−５２８３９号公報
【０００７】
しかしながら、特許文献２，３で提案されているものでは、単にバネ１１０，１２２の付勢力によってスクリーン１１１，１２０を引っ張る構成であるため、スクリーン１１１，１２０の平面性を得るために必要とされる所定の引張力をスクリーン１１１，１２０に正確に作用させるように調節することが難しいという問題点がある。
【発明の概要】
【発明が解決しようとする課題】
【０００８】
本発明は、前述のような問題点に鑑みてなされたもので、ナット締付操作量に応じて所定の引張力をスクリーンに正確に作用させることができるとともに、使用に伴いスクリーンが横方向に若干伸びたとしてもその伸び分を吸収して引張力を作用させた状態を維持することができるスクリーン引張装置を提供することを目的とするものである。
【課題を解決するための手段】
【０００９】
前記目的を達成するために、本発明によるスクリーン引張装置は、
縦横に広がるスクリーンの横方向端部に一端側が連結されるボルトと、このボルトの他端側に螺合されるナットとを備え、前記ナットを締め付けることによって前記スクリーンを横方向外側に引っ張るようにしたスクリーン引張装置において、
前記ナットの締付時に前記ボルトに対し前記ナットが相対移動する側に、前記ナットからの締付荷重を受けるとともに前記スクリーンの横方向外側に付勢力を発するナット受け部材を配設したことを特徴とするものである（第１発明）。
【００１０】
前記ナット受け部材は、前記ナットからの締付荷重を受けることによって弾性変形した状態で前記スクリーンの横方向内側に傾きが付される板状の弾性体からなるものであるのが好ましい（第２発明）。
【００１１】
前記ナット受け部材は、前記ナットからの締付荷重を受けていない弾性変形前の自然状態で前記スクリーンの横方向外側に傾きが付される板状の弾性体からなるものであるのが好ましい（第３発明）。
【００１２】
前記ナット受け部材は、板状の弾性体の撓みに対する反発力を利用した板ばね部材によって前記スクリーンの横方向外側に付勢されることで前記スクリーンの横方向外側に付勢力を発するようにされているのが好ましい（第４発明）。
【００１３】
前記ナット受け部材は、前記ボルトの他端側に外嵌される圧縮コイルばねによって前記スクリーンの横方向外側に付勢されることで前記スクリーンの横方向外側に付勢力を発するようにされているのが好ましい（第５発明）。
【発明の効果】
【００１４】
本発明のスクリーン引張装置によれば、ナットの締付操作量に応じてボルトに作用する軸力によってスクリーンが横方向外側に引っ張られるので、ナット締付操作量に応じて所定の引張力をスクリーンに正確に作用させることができる。また、本発明のスクリーン引張装置によれば、ナット受け部材からの付勢力がナットを介してボルトに伝達され、ナットと共にボルトがスクリーンの横方向外側に付勢されるので、例えば長期の使用での温度・湿度変化の長期の繰り返しに起因してスクリーンが横方向に若干伸びたとしても、スクリーンに対し横方向外側に引張力を掛けたまま、そのスクリーンの伸び分だけ、ナットと共にボルトがスクリーンの横方向外側に移動されることになり、使用に伴いスクリーンが横方向に若干伸びたとしてもその伸び分を吸収して引張力を作用させた状態を維持することができる。
【００１５】
また、第２発明〜第５発明の構成を採用することにより、極めて簡易な構成でナット受け部材がスクリーンの横方向外側に付勢力を発するようにすることができる。
【図面の簡単な説明】
【００１６】
【図１】本発明の第１の実施形態に係るスクリーン引張装置を具備する掛け軸型の吊り下げ式スクリーン装置の正面図である。
【図２】同スクリーン引張装置によって引っ張られるスクリーン本体を示す図で、（ａ）は保持部材に保持された様子を表わす概略図、（ｂ）はその保持部材の詳細構成図である。
【図３】スクリーン本体の吊り下げ支持構造を示す部分斜視図である。
【図４】第１の実施形態のスクリーン引張装置を示す部分斜視図である。
【図５】第１の実施形態のスクリーン引張装置の要部縦断面図で、（ａ）はスクリーン使用初期段階でのスクリーン引張状態図、（ｂ）はスクリーン横方向伸びの吸収後のスクリーン引張状態図である。
【図６】第２の実施形態のスクリーン引張装置を示す部分斜視図である。
【図７】第２の実施形態のスクリーン引張装置の要部縦断面図で、（ａ）はスクリーン使用初期段階でのスクリーン引張状態図、（ｂ）はスクリーン横方向伸びの吸収後のスクリーン引張状態図である。
【図８】第３の実施形態のスクリーン引張装置を示す部分斜視図である。
【図９】第３の実施形態のスクリーン引張装置の要部縦断面図で、（ａ）はスクリーン使用初期段階でのスクリーン引張状態図、（ｂ）はスクリーン横方向伸びの吸収後のスクリーン引張状態図である。
【図１０】第４の実施形態のスクリーン引張装置を示す側面図である。
【図１１】第４の実施形態のスクリーン引張装置の要部縦断面一部破断図で、（ａ）はスクリーン使用初期段階でのスクリーン引張状態図、（ｂ）はスクリーン横方向伸びの吸収後のスクリーン引張状態図である。
【図１２】スクリーン引張装置が適用される他の態様のスクリーン装置を示す図で、（ａ）はロール巻き込み式スクリーン装置、（ｂ）は床置き式ロール巻き込みスクリーン装置である。
【図１３】従来技術の説明図である。
【発明を実施するための形態】
【００１７】
次に、本発明によるスクリーン引張装置の具体的な実施の形態について、図面を参照しつつ説明する。
【００１８】
〔第１の実施形態〕
＜掛け軸型の吊り下げ式スクリーン装置の説明＞
図１に示される掛け軸型の吊り下げ式スクリーン装置（以下、単に「スクリーン装置」と表記する。）１は、略矩形状のスクリーン本体２（本発明の「スクリーン」に相当する。）と、このスクリーン本体２の上端部に配される管状の上部横棒３と、スクリーン本体２の下端部に配される管状の下部横棒４とを備えて構成され、上部横棒３の内部にスクリーン本体２の上端部が差し込まれることによって該スクリーン本体２を保持し、この上部横棒３を壁や天井から吊り下げることでスクリーン本体２を展張させ、映画やプロジェクタの画像を投影するようにされている。ここで、上部横棒３と下部横棒４とは略同一構造であるので、以下の説明においては代表して上部横棒３（以下、単に「横棒３」と表記する。）の構成についてのみ説明する。
【００１９】
図３に示されるように、横棒３は、アルミ押し出し材からなり全体として丸管状で、内部に長手方向に平行に延びる仕切り壁５，６が形成されるとともに、これら仕切り壁５，６の外周側にそれぞれ長手方向に延びる開口部（スリット）７，８が形成され、仕切り壁５，６と開口部７，８との間にそれぞれ上部凹所９および下部凹所１０が画成されてなる形状とされている。ここで、下部凹所１０が、横棒３の内側にスクリーン本体２およびスクリーン保持部材１１を保持するスペースとなっている。
【００２０】
図２に示されるように、スクリーン保持部材１１は、横棒３の左端部側に配される左側端部保持部材１２と、横棒３の右端部側に配される右側端部保持部材１３と、これら左側端部保持部材１２および右側端部保持部材１３の中間部に配される中央部保持部材１４の３分割構成とされている。これら左側端部保持部材１２、右側端部保持部材１３および中央部保持部材１４の横棒３長手方向長さはそれぞれ、スクリーン本体２の幅（上端部長さ）の略１／３（すなわち、ａ：ｂ：ｃ＝１：１：１）となるように設定されている。なお、左側端部保持部材１２および右側端部保持部材１３の長さを中央部保持部材１４の長さよりやや長めに設定しても良い（例えばスクリーン本体２の幅が２ｍの場合に、左側端部保持部材１２および右側端部保持部材１３の長さを７００〜１２００ｍｍとするなど）。
【００２１】
中央部保持部材１４は、その長手方向に複数個（図の例では５個）の高さ保持用保持部片１４ａに分割され、各高さ保持用保持部片１４ａがスクリーン本体２の上端部に取り付けられて、左側端部保持部材１２および右側端部保持部材１３による張力の影響のない状態でスクリーン本体２の高さを保持するよう機能する。ここで、各高さ保持用保持部片１４ａの横棒３長手方向長さは、例えば２００〜４００ｍｍとされる。
【００２２】
これに対して、左側端部保持部材１２および右側端部保持部材１３は、前記中央部保持部材１４と独立してスクリーン本体２に取り付けられ、該スクリーン本体２を主として左側端部または右側端部に引っ張るよう機能するとともにスクリーン本体２の高さを保持する機能を有する引っ張り用保持部材１２ａ，１３ａと、前記引っ張り用保持部材１２ａ，１３ａの端部側に接着剤で固定される引っ張り片（引っ張り用金具）１２ｂ，１３ｂを備えている。より詳細には、スクリーン本体２の上端部は、スクリーン本体２の幅全体に中央部の高さ保持用保持部片１４ａおよび左右の引っ張り用保持部材１２ａ，１３ａが接合される。
【００２３】
次に、スクリーン本体２を横方向外側に引っ張るスクリーン引張装置２０Ａについて、主に、図４および図５を用いて説明する。ここで、図４には、第１の実施形態のスクリーン引張装置を示す部分斜視図が示され、図５には、第１の実施形態のスクリーン引張装置の要部縦断面図で、スクリーンの使用初期段階でのスクリーン引張状態図（ａ）およびスクリーンの横方向伸びの吸収後のスクリーン引張状態図（ｂ）がそれぞれ示されている。
【００２４】
＜スクリーン引張装置の説明＞
図４および図５に示されるように、スクリーン引張装置２０Ａは、引っ張り片１２ｂ，１３ｂにピアノ線よりなるジョイント２１を介して一端側が連結されるボルト２２と、横棒３の端面に取り付けられる端板２３とを備えている。
【００２５】
ボルト２２は、その他端側を横棒３の端面から突出させた状態でその大部分が横棒３の内部に組み込まれている。ボルト２２の他端側にはナット２４が螺合されている。
【００２６】
端板２３は、板状の弾性体、例えば、ばね鋼鋼材（ＳＵＰ１０、ＳＫ−５）やばね用ステンレス鋼（ＳＵＳ３０４−ＣＳＰ）等の板ばね素材からなり、横棒３の端面に当接・固定される舌形状の本体部材２３ａと、この本体部材２３ａに折曲部２３ｂを介して一体的に連設されてその本体部材２３ａと重なり合うような舌形状のナット受け部材２３ｃと、本体部材２３ａの両側で折曲部２３ｂから仕切り壁５に沿って延設されてその仕切り壁５に引っ掛かるように係合する掛け止め部材２３ｄとから構成されている。
【００２７】
端板２３においては、厚みが例えば０．３〜０．４ｍｍ程度の帯状の板ばね素材を断面逆Ｕの字状となるように二つ折りに折り曲げることにより、一側に本体部材２３ａが、他側にナット２４と係合するナット受け部材２３ｃが互いに所定隙間を存して対向するように形成され、ナット受け部材２３ｃの基端側（上端側）が折曲部２３ｂを介して本体部材２３ａと一体的に結合されて固定端とされる一方で先端側（下端側）がスクリーン本体２の横方向（横棒３の軸方向）に自由に動くことのできる自由端とされている。
【００２８】
本体部材２３ａは、横棒３の端面に密着できるように鉛直方向に沿って平面状に形成され、ナット受け部材２３ｃは、ナット２４からの締付荷重を受けていない弾性変形前の自然状態で本体部材２３ａと平行であり、ナット２４からの締付荷重を受けることによって弾性変形した状態でスクリーン本体２の横方向内側に傾きが付される（図５（ａ）参照）。さらに、ナット受け部材２３ｃにおいては、スクリーン本体２の横方向外側に向けて１ｍｍの距離で２ｋｇ以下の付勢力を発するようなばね特性が得られるように、ボルト２２の挿通孔と折曲部２３ｂとの距離や、幅寸法等が適宜に設定され、より適切な形状に形成されている。こうして、極めて簡易な構成でナット受け部材２３ｃがスクリーン本体２の横方向外側に付勢力を発するようにすることができる。
【００２９】
本体部材２３ａおよびナット受け部材２３ｃには、ボルト２２の他端側が挿通され、ナット２４の締付時にボルト２２に対しナット２４が相対移動する側にナット受け部材２３ｃが配され、ナット２４からの締付荷重をナット受け部材２３ｃが受けるようにされている。こうして、ナット２４を締め付けることにより、引張力がボルト２２、ジョイント２１および引っ張り片１２ｂ，１３ｂを介して引っ張り用保持部材１２ａ，１３ａに伝達され、左側端部保持部材１２および右側端部保持部材１３によって保持されているスクリーン本体２に対し左右方向の引っ張り力が付与される。
【００３０】
通常、スクリーン本体２に生じる皺はそのスクリーン本体２の僅かな伸縮により大きな皺になる特性を持つことから、スクリーン装置１において、左側端部保持部材１２および右側端部保持部材１３は、これら端部保持部材１２，１３により付与される張力が１〜２ｍｍ程度の距離を精密に展張できる構造となっている。これに対して中央部保持部材１４はスクリーン本体２の自重による下方への張力を支える構造となっている。こうして３分割された保持部材１２，１３，１４を面としてスクリーン本体２の上端部に取り付けた状態で、両側から左側端部保持部材１２および右側端部保持部材１３により僅かに張力を付与してスクリーン本体２を展張させることで、スクリーン本体２と横棒３との間に伸縮率に差があっても、保持部材１２，１３，１４全体で分散吸収して伸縮距離の差をスクリーン本体２の幅全体の略１／３の面（図２（ａ）の領域１８ａ，１８ｂ参照）の伸縮として解消することができ、皺の発生を防ぐことができる。この場合、スクリーン本体２の中央部は左右の張力が掛かっていないから、引っ張り用保持部材１２ａ，１３ａの引っ張り基づく該引っ張り用保持部材１２ａ，１３ａの傾きによる影響を受けることがなく、各高さ保持用保持部片１４ａはスクリーン本体２の自重に対する保持力としてのみ作用し、これによってスクリーン本体２の平滑性が保たれる。
【００３１】
ここで、高さ保持用保持部片１４ａはスクリーン本体２の吊り下げ高さに応じてその高さが設定される。また、左右の引っ張り用保持部材１２ａ，１３ａの高さは、高さ保持用保持部片１４ａより低い高さで、左右の引っ張り力に応じた高さに設定される。
【００３２】
ところで、ボルト２２に対しナット２４が１ｍｍ進むようなナット締付操作量によって３ｋｇ程度の引張力をスクリーン本体２に作用させる場合、ナット２４からの締付荷重を受けていない弾性変形前の自然状態で本体部材２３ａと平行であるナット受け部材２３ｃは、当該ナット受け部材２３ｃの発する付勢力が１ｍｍの距離で２ｋｇ以下であるので、ナット２４からの締付荷重を受けて弾性変形され、折曲部２３ｂを支点として自由端側が本体部材２３ａの下端部に近づくように曲げられ、遂には本体部材２３ａの下端部に押し付けられて、図５（ａ）に示されるように、鉛直方向に沿って平面状である本体部材２３ａに対し、スクリーン本体２の横方向内側に傾きが付された状態となる。
【００３３】
図５（ａ）に示されるスクリーン使用初期段階でのスクリーン引張状態においては、ボルト２２に対しナット２４が１ｍｍ進むようなナット締付操作量によって３ｋｇ程度の引張力がスクリーン本体２の横方向外側に働いて、スクリーン本体２の平面性が保たれている。
【００３４】
スクリーン本体２の使用が進み、温度・湿度変化の長期の繰り返しに起因してスクリーン本体２が横方向に若干伸びることがある。このとき、図５（ｂ）に示されるように、ナット受け部材２３ｃからの付勢力がナット２４を介してボルト２２に伝達され、ナット２４と共にボルト２２がスクリーン本体２の横方向外側に付勢され、スクリーン本体２に対し横方向外側に引張力を掛けたまま、そのスクリーン本体２の伸び分だけ、ナット２４と共にボルト２２がスクリーン本体２の横方向外側に移動される。したがって、使用に伴いスクリーン本体２が横方向に若干伸びたとしてもその伸び分を吸収して引張力を作用させた状態を維持することができる。
【００３５】
また、スクリーン引張装置２０Ａを具備するスクリーン装置１によれば、左右の引っ張り用保持部材１２ａ，１３ａに張力を付与してスクリーン本体２を展張させた際、引っ張り用保持部材１２ａ，１３ａはスクリーン本体２の自重による下がり力の影響を受けずに左右方向に引っ張られるので、引っ張り用保持部材１２ａ，１３ａが変形することなく左右方向へスクリーン本体２を移動させることができる。この左右方向へのスクリーン本体２の展張は、高さ保持用保持部片１４ａが水平の状態を維持しつつ行われるので、平滑性を保った状態でスクリーン本体２の展張が可能となる。
【００３６】
〔第２の実施形態〕
次に、本発明の第２の実施形態に係るスクリーン引張装置２０Ｂについて主に、図６および図７を用いて説明する。ここで、図６には、第２の実施形態のスクリーン引張装置を示す部分斜視図が示され、図７には、第２の実施形態のスクリーン引張装置の要部縦断面図で、スクリーンの使用初期段階でのスクリーン引張状態図（ａ）およびスクリーンの横方向伸びの吸収後のスクリーン引張状態図（ｂ）がそれぞれ示されている。なお、第２の実施形態において、第１の実施形態と同一または同様のものについては図に同一符号を付すに留めてその詳細な説明を省略することとし、以下においては第２の実施形態に特有の部分を中心に説明することとする（後述する第３の実施形態および第４の実施形態についても同様）。
【００３７】
横棒３の端面に取り付けられる端板２５は、板状の弾性体、例えば、ばね鋼鋼材（ＳＵＰ１０、ＳＫ−５）やばね用ステンレス鋼（ＳＵＳ３０４−ＣＳＰ）等の板ばね素材からなり、横棒３の端面を略塞ぐことのできる全体として略円形状とされている。この端板２５は、横棒３の端面に当接・固定される逆Ｕの字形状の本体部材２５ａと、この本体部材２５ａによって支持される舌形状のナット受け部材２５ｂとから構成されている。
【００３８】
端板２５においては、厚みが例えば０．３〜０．４ｍｍ程度の円形状の板ばね素材に、一端（下端）側が開かれる一方で他端（上端）側が閉じられた鉛直方向に細長く延びる一対の切欠き２６を、その板ばね素材の直径位置を挟むように所定間隔を存して設けることにより、一対の切欠き２６の外側に本体部材２５ａが、一対の切欠き２６の間にナット２４と係合するナット受け部材２５ｂがそれぞれ形成され、ナット受け部材２５ｂの基端側（上端側）が折曲部２７を介して本体部材２５ａと一体的に結合されて固定端とされる一方で先端側（下端側）がスクリーン本体２の横方向（横棒３の軸方向）に自由に動くことのできる自由端とされている。
【００３９】
本体部材２５ａは、横棒３の端面に密着できるように鉛直方向に沿って平面状に形成されるに対し、ナット受け部材２５ｂは、弾性変形前の自然状態でスクリーン本体２の横方向外側に傾きが付され（図７（ｂ）参照）、自然状態にあるナット受け部材２５ｂの自由端と横棒３の端面との間に所定の隙間が生じるようにされている。さらに、ナット受け部材２５ｂにおいては、スクリーン本体２の横方向外側に向けて１ｍｍの距離で２ｋｇ以下の付勢力を発するようなばね特性が得られるように、ボルト２２の挿通孔と折曲部２７との距離や、幅寸法等が適宜に設定され、より適切な形状に形成されている。こうして、極めて簡易な構成でナット受け部材２５ｂがスクリーン本体２の横方向外側に付勢力を発するようにすることができる。
【００４０】
ナット受け部材２５ｂには、ボルト２２の他端側が挿通され、ナット２４の締付時にボルト２２に対しナット２４が相対移動する側にナット受け部材２５ｂが配され、ナット２４からの締付荷重をナット受け部材２５ｂが受けるようにされている。こうして、ナット２４を締め付けることにより、引張力がボルト２２、ジョイント２１および引っ張り片１２ｂ，１３ｂを介して引っ張り用保持部材１２ａ，１３ａに伝達され、左側端部保持部材１２および右側端部保持部材１３によって保持されているスクリーン本体２に対し左右方向の引っ張り力が付与される。
【００４１】
ところで、ボルト２２に対しナット２４が１ｍｍ進むようなナット締付操作量によって３ｋｇ程度の引張力をスクリーン本体２に作用させる場合、自然状態で傾きが付された状態にあるナット受け部材２５ｂは、当該ナット受け部材２５ｂの発する付勢力が１ｍｍの距離で２ｋｇ以下であるので、ナット２４からの締付荷重を受けて弾性変形され、折曲部２７を支点として自由端側が横棒３の端面に近づくように曲げられ、遂には横棒３の端面に押し付けられて、図７（ａ）に示されるように、本体部材２５ａと面一の状態となる。
【００４２】
図７（ａ）に示されるスクリーン使用初期段階でのスクリーン引張状態においては、ボルト２２に対しナット２４が１ｍｍ進むようなナット締付操作量によって３ｋｇ程度の引張力がスクリーン本体２の横方向外側に働いて、スクリーン本体２の平面性が保たれている。
【００４３】
スクリーン本体２の使用が進み、温度・湿度変化の長期の繰り返しに起因してスクリーン本体２が横方向に若干伸びることがある。このとき、図７（ｂ）に示されるように、ナット受け部材２５ｂからの付勢力がナット２４を介してボルト２２に伝達され、ナット２４と共にボルト２２がスクリーン本体２の横方向外側に付勢され、スクリーン本体２に対し横方向外側に引張力を掛けたまま、そのスクリーン本体２の伸び分だけ、ナット２４と共にボルト２２がスクリーン本体２の横方向外側に移動される。したがって、使用に伴いスクリーン本体２が横方向に若干伸びたとしてもその伸び分を吸収して引張力を作用させた状態を維持することができる。
【００４４】
〔第３の実施形態〕
次に、本発明の第３の実施形態に係るスクリーン引張装置２０Ｃについて主に、図８および図９を用いて説明する。ここで、図８には、第３の実施形態のスクリーン引張装置を示す部分斜視図が示され、図９には、第３の実施形態のスクリーン引張装置の要部縦断面図で、スクリーンの使用初期段階でのスクリーン引張状態図（ａ）およびスクリーンの横方向伸びの吸収後のスクリーン引張状態図（ｂ）がそれぞれ示されている。
【００４５】
横棒３の端部には、仕切り壁５，６を跨ぐように断面門形状の弛み防止ばね支持板２８が装着されている。この弛み防止ばね支持板２８とナット２４との間には、弛み防止ばね２９が配設されている。弛み防止ばね２９は、板状の弾性体、例えば、ばね鋼鋼材（ＳＵＰ１０、ＳＫ−５）やばね用ステンレス鋼（ＳＵＳ３０４−ＣＳＰ）等の板ばね素材からなり、厚みが例えば０．３〜０．４ｍｍ程度の帯状の板ばね素材に対し所要の折曲加工を施すことによって形成されている。弛み防止ばね２９は、ナット２４と係合するナット受け部材２９ａと、このナット受け部材２９ａの両側に一体的に連設される一対の板ばね部材２９ｂとから構成されている。板ばね部材２９ｂは、断面略への字状に屈曲形成されてなり、弾性変形前の自然状態において、板ばね部材２９ｂの先端が弛み防止ばね支持板２８に当接したときに、弛み防止ばね支持板２８とナット受け部材２９ａとの間に所定の隙間（図９（ｂ）参照）が設けられるようにされている。
【００４６】
弛み防止ばね２９においては、スクリーン本体２の横方向外側に向けて１ｍｍの距離で２ｋｇ以下の付勢力を発するようなばね特性が得られるように、ボルト２２の挿通孔と板ばね部材２９ｂの先端との距離や、幅寸法等が適宜に設定され、より適切な形状に形成されている。こうして、極めて簡易な構成でナット受け部材２９ａがスクリーン本体２の横方向外側に付勢力を発するようにすることができる。
【００４７】
ナット受け部材２９ａには、ボルト２２の他端側が挿通され、ナット２４の締付時にボルト２２に対しナット２４が相対移動する側にナット受け部材２９ａが配され、ナット２４からの締付荷重をナット受け部材２９ａが受けるようにされている。こうして、ナット２４を締め付けることにより、引張力がボルト２２、ジョイント２１および引っ張り片１２ｂ，１３ｂを介して引っ張り用保持部材１２ａ，１３ａに伝達され、左側端部保持部材１２および右側端部保持部材１３によって保持されているスクリーン本体２に対し左右方向の引っ張り力が付与される。
【００４８】
ところで、ボルト２２に対しナット２４が１ｍｍ進むようなナット締付操作量によって３ｋｇ程度の引張力をスクリーン本体２に作用させる場合、弛み防止ばねの発する付勢力が１ｍｍの距離で２ｋｇ以下であるので、弛み防止ばね２９における板ばね部材２９ｂはナット２４からの締付荷重を受けて弾性変形され、板ばね部材２９ｂにおける折曲部分を基点として先端側が外向きに進むように板ばね部材２９ｂが広がり、遂には図９（ａ）に示されるようにナット受け部材２９ａが弛み防止ばね支持板２８に押し付けられる。
【００４９】
図９（ａ）に示されるスクリーン使用初期段階でのスクリーン引張状態においては、ボルト２２に対しナット２４が１ｍｍ進むようなナット締付操作量によって３ｋｇ程度の引張力がスクリーン本体２の横方向外側に働いて、スクリーン本体２の平面性が保たれている。
【００５０】
スクリーン本体２の使用が進み、温度・湿度変化の長期の繰り返しに起因してスクリーン本体２が横方向に若干伸びることがある。このとき、図９（ｂ）に示されるように、板状の弾性体の撓みに対する反発力を利用した板ばね部材２９ｂによってスクリーン本体２の横方向外側に付勢されているナット受け部材２９ａからの付勢力がナット２４を介してボルト２２に伝達され、ナット２４と共にボルト２２がスクリーン本体２の横方向外側に付勢され、スクリーン本体２に対し横方向外側に引張力を掛けたまま、そのスクリーン本体２の伸び分だけ、ナット２４と共にボルト２２がスクリーン本体２の横方向外側に移動される。したがって、使用に伴いスクリーン本体２が横方向に若干伸びたとしてもその伸び分を吸収して引張力を作用させた状態を維持することができる。
【００５１】
〔第４の実施形態〕
次に、本発明の第４の実施形態に係るスクリーン引張装置２０Ｄについて主に、図１０および図１１を用いて説明する。ここで、図１０には、第４の実施形態のスクリーン引張装置を示す部分斜視図が示され、図１１には、第４の実施形態のスクリーン引張装置の要部縦断面一部破断図で、スクリーンの使用初期段階でのスクリーン引張状態図（ａ）およびスクリーンの横方向伸びの吸収後のスクリーン引張状態図（ｂ）がそれぞれ示されている。なお、第４の実施形態は、ロール巻き込み式スクリーン装置（図１２参照）において使用されて好適なロール巻き込み式の横棒にスクリーン引張装置が装備される態様例である。
【００５２】
横棒３の端面の外周寄りの部位には、弛み防止ばね支持板３０が取り付けられている。この弛み防止ばね支持板３０とナット２４との間には、弛み防止ばね３１が配設されている。弛み防止ばね３１は、例えば、ピアノ線（ＳＷＰ−Ａ）やステンレス線材（ＳＵＳ３０４−ＷＰＢ、ＳＵＳ３０２）等のばね線材から作製される圧縮コイルばねからなり、ボルト２２の他端側に外嵌されている。弛み防止ばね３１とナット２４との間には、断面門形状の弛み防止ばね用カバー材３２が配設されている。弛み防止ばね用カバー材３２は、ＳＵＳ３０４や鉄板等の金属板素材に対し所定の折曲加工を施してなるものであり、ナット２４と係合するナット受け部材３２ａと、このナット受け部材３２ａの両側に一体的に連設されて弛み防止ばね支持板３０に向けて真っ直ぐに延びる一対の脚部材３２ｂとから構成されている。
【００５３】
弛み防止ばね３１においては、スクリーン本体２の横方向外側に向けて１ｍｍの距離で２ｋｇ以下の付勢力を発するようなばね特性が得られるように、圧縮コイルばねの線径や巻き数等が適宜に設定され、より適切なばね定数に設定されている。こうして、極めて簡易な構成でナット受け部材３２ａがスクリーン本体２の横方向外側に付勢力を発するようにすることができる。
【００５４】
ナット受け部材３２ａには、ボルト２２の他端側が挿通され、ナット２４の締付時にボルト２２に対しナット２４が相対移動する側にナット受け部材３２ａが配され、ナット２４からの締付荷重をナット受け部材３２ａが受けるようにされている。こうして、ナット２４を締め付けることにより、引張力がボルト２２、ジョイント２１および引っ張り片１２ｂ，１３ｂを介して引っ張り用保持部材１２ａ，１３ａに伝達され、左側端部保持部材１２および右側端部保持部材１３によって保持されているスクリーン本体２に対し左右方向の引っ張り力が付与される。
【００５５】
ところで、ボルト２２に対しナット２４が１ｍｍ進むようなナット締付操作量によって３ｋｇ程度の引張力をスクリーン本体２に作用させる場合、弛み防止ばね３１の発する付勢力が１ｍｍの距離で２ｋｇ以下であるので、弛み防止ばね３１は弛み防止ばね用カバー材３２におけるナット受け部材３２ａを介してナット２４からの締付荷重を受けて弾性変形され、弛み防止ばね用カバー材３２における一対の脚部材３２ｂが弛み防止ばね支持板３０に近づくように弛み防止ばね用カバー材３２が移動され、遂には図１１（ａ）に示されるように一対の脚部材３２ｂが弛み防止ばね支持板３０に当接される。
【００５６】
図１１（ａ）に示されるスクリーン使用初期段階でのスクリーン引張状態においては、ボルト２２に対しナット２４が１ｍｍ進むようなナット締付操作量によって３ｋｇ程度の引張力がスクリーン本体２の横方向外側に働いて、スクリーン本体２の平面性が保たれている。
【００５７】
スクリーン本体２の使用が進み、温度・湿度変化の長期の繰り返しに起因してスクリーン本体２が横方向に若干伸びることがある。このとき、図１１（ｂ）に示されるように、弛み防止ばね３１によってスクリーン本体２の横方向外側に付勢されているナット受け部材３２ａからの付勢力がナット２４を介してボルト２２に伝達され、ナット２４と共にボルト２２がスクリーン本体２の横方向外側に付勢され、スクリーン本体２に対し横方向外側に引張力を掛けたまま、そのスクリーン本体２の伸び分だけ、ナット２４と共にボルト２２がスクリーン本体２の横方向外側に移動される。したがって、使用に伴いスクリーン本体２が横方向に若干伸びたとしてもその伸び分を吸収して引張力を作用させた状態を維持することができる。
【００５８】
以上、本発明のスクリーン引張装置について、一実施形態に基づいて説明したが、本発明は上記実施形態に記載した構成に限定されるものではなく、その趣旨を逸脱しない範囲において適宜その構成を変更することができるものである。
【００５９】
上記の第１〜第３の実施形態では、図１に示される掛け軸型の吊り下げ式スクリーン装置に適用した例について説明したが、本発明は、図１２（ａ）に示されるようなロール巻き込み式スクリーン装置１Ａに対しても適用することができる。また、図１２（ｂ）に示されるような床置き式ロール巻き込みスクリーン装置１Ｂに対しても適用することができる。ここで、ロール巻き込み式スクリーン装置１Ａ（図１２（ａ））においては、電動やスプリングの力による回転式の巻胴３３を備え、この巻胴３３にスクリーン本体２の上端部が取り付けられ、ロール巻き込み装置３４によってスクリーン本体２の上げ下げが行われるように構成されている。図中、符号３５にて示されるのは下部横棒、符号３６にて示されるのはハンドルである。一方、床置き式ロール巻き込みスクリーン装置１Ｂ（図１２（ｂ））においては、電動やスプリングの力による回転式の巻胴３７を下部に備え、スクリーン本体２の端部を引き上げた後、下部に立設された支柱３８にその端部を取り付けて展張させるように構成されている。図中、符号３９にて示されるのはロール巻き込み装置、符号４０にて示されるのは上部横棒、符号４１にて示されるのは支柱取付部である。
【００６０】
上記の実施形態では、映写用、プロジェクタ用のスクリーンに本発明が適用された例を示したが、これに限定されるものではなく、窓辺の装飾用、間仕切り用等に用いられるスクリーン（「カーテン」とも称される。）に本発明を適用することも可能である。
【００６１】
また、上記の実施形態では、スクリーン本体２の上端部において上部横棒３内に左側端部保持部材１２、右側端部保持部材１３および中央部保持部材１４を配したものについて説明したが、これら保持部材１２，１３，１４を下部横棒４内にも配することで、スクリーン本体２の展張作用をより確実に行うことができ、これに伴い、下部横棒４が側にもスクリーン引張装置２０Ａ〜２０Ｄを配置するのが好ましい。
【００６２】
また、上記の実施形態では、スクリーン保持部材１１が、左側端部保持部材１２、右側端部保持部材１３および中央部保持部材１４の３分割構成とされている例を示したが、これに限定されるものではなく、分割されずに一体構成の態様例や、２分割あるいは４分割以上の構成とする態様例もあり得る。
【産業上の利用可能性】
【００６３】
本発明のスクリーン引張装置は、ナット締付操作量に応じて所定の引張力をスクリーンに正確に作用させることができるとともに、使用に伴いスクリーンが横方向に若干伸びたとしてもその伸び分を吸収して引張力を作用させた状態を維持することができるという特性を有していることから、映写用、プロジェクタ用、リア投影用、窓辺の装飾用、間仕切り用等に用いられる各種スクリーンの平面性維持の用途に好適に用いることができる。
【符号の説明】
【００６４】
１        スクリーン装置
２        スクリーン本体（スクリーン）
３        上部横棒（横棒）
４        下部横棒
５，６    仕切り壁
７，８    開口部（スリット）
９，１０  凹所
１１      スクリーン保持部材
１２      左側端部保持部材
１２ａ    引っ張り用保持部材
１２ｂ    引っ張り片
１２ｃ    高さ保持用保持部片
１３      右側端部保持部材
１３ａ    引っ張り用保持部材
１３ｂ    引っ張り片
１３ｃ    高さ保持用保持部片
１４      中央部保持部材
１４ａ    高さ保持用保持部片
２０Ａ〜２０Ｄ  スクリーン引張装置
２２      ボルト
２３      端板
２３ｃ    ナット受け部材
２４      ナット
２５      端板
２５      ナット受け部材
２９      弛み防止ばね
２９ａ    ナット受け部材
２９ｂ    板ばね部材
３１      弛み防止ばね（圧縮コイルばね）
３２      弛み防止ばね用カバー材
３２ａ    ナット受け部材
【図１】
2018155947.tif 000003
【図２】
2018155947.tif 000004
【図３】
2018155947.tif 000005
【図４】
2018155947.tif 000006
【図５】
2018155947.tif 000007
【図６】
2018155947.tif 000008
【図７】
2018155947.tif 000009
【図８】
2018155947.tif 000010
【図９】
2018155947.tif 000011
【図１０】
2018155947.tif 000012
【図１１】
2018155947.tif 000013
【図１２】
2018155947.tif 000014
【図１３】
2018155947.tif 000015